(57)【特許請求の範囲】
【請求項１】
冷媒が循環する配管と、冷媒を循環させる冷媒駆動部と、を備える冷却装置であって、
前記配管はそれぞれ１本の管からなる冷媒導入部と冷媒排出部を備え、前記冷媒導入部と前記冷媒排出部の間には複数の枝分かれ部が形成されており、
前記冷媒導入部、前記冷媒排出部、および前記各枝分かれ部において前記配管は継手によって結合されており、
前記冷媒導入部の継手と前記枝分かれ部の間、および前記冷媒排出部の継手と前記枝分かれ部の間にはそれぞれ前記配管内の冷媒の圧力を計測する圧力計が配置され、
前記２つの圧力計によって計測される圧力値および該圧力値の差の少なくとも一方を表示する表示部を備えることを特徴とする冷却装置。
【請求項２】
前記継手が外れることにより前記圧力値および該圧力値の差の少なくとも一方に変化が生じた場合、前記表示部は前記外れた継手を特定する情報を表示する請求項１に記載の冷却装置。
【請求項３】
前記継手が外れることにより前記圧力値および該圧力値の差の少なくとも一方に変化が生じた場合、前記表示部は警報を発する請求項１または請求項２に記載の冷却装置。
【請求項４】
前記冷媒排出部と前記冷媒駆動部の間には所定量の冷媒を保管する冷媒保管部が配置される請求項１乃至請求項３のいずれかに記載の冷却装置。
【請求項５】
請求項１乃至請求項４のいずれかに記載の冷却装置を備える電子装置。
【請求項６】
前記表示部が電子装置の表示部であることを特徴とする請求項５に記載の電子装置。
【発明の詳細な説明】
【技術分野】
【０００１】
本発明は、電子装置を冷却する冷却装置に関する。
【背景技術】
【０００２】
冷媒を循環させて電子装置を冷却する冷却装置において、冷媒が漏洩した場合に、漏洩を検知する装置として、特許文献１が開示されている。
【０００３】
特許文献１は、冷却装置の外側に設置された漏洩センサが冷媒液で濡れること、またはタンク内に設置された液面センサが冷媒液の減少を検知すること、により冷媒液の漏洩を検知し、冷媒液の循環経路の一部に流量計を設置し、冷媒液の流量の低下により、冷媒液の循環経路の詰まりを判断し、これらのいずれにおいても電子装置を停止することが開示されている。
【先行技術文献】
【特許文献】
【０００４】
【特許文献１】特開２００３−２０９２１０
【発明の概要】
【発明が解決しようとする課題】
【０００５】
しかしながら、特許文献１では、電子装置の停止の原因が冷媒液の漏洩か、または冷媒液の循環経路の詰まりか、あるいは冷媒液関連以外か、を特定するには、冷媒液の循環経路を全て確認する必要があり、電子装置の停止の原因を特定することに時間を要した。
【０００６】
これらを鑑み、本発明の目的は、簡易な構成によって、外れた継手を特定することができる冷却装置およびこの冷却装置を備えた電子装置を提供することである。
【課題を解決するための手段】
【０００７】
本発明の冷却装置は、冷媒が循環する配管と、冷媒を循環させる冷媒駆動部と、を備える冷却装置であって、前記配管はそれぞれ１本の管からなる冷媒導入部と冷媒排出部を備え、前記冷媒導入部と前記冷媒排出部の間には複数の枝分かれ部が形成されており、前記冷媒導入部、前記冷媒排出部、および前記各枝分かれ部において前記配管は継手によって結合されており、前記冷媒導入部の継手と前記枝分かれ部の間、および前記冷媒排出部の継手と前記枝分かれ部の間にはそれぞれ前記配管内の冷媒の圧力を計測する圧力計が配置され、前記２つの圧力計によって計測される圧力値および該圧力値の差の少なくとも一方を表示する表示部を備えることを特徴とする。
【発明の効果】
【０００８】
本発明によれば、簡易な構成によって、冷媒が循環する配管において外れた継手を特定することができる。
【図面の簡単な説明】
【０００９】
【図１】本発明の冷却装置の構成例を示す概略図である。
【図２】本発明の冷却装置の配管部の構成例を示す図である。
【図３】本発明の冷却装置の配管部の構成例を示す図である。
【図４】本発明の冷却装置の配管部の構成例を示す図である。
【発明を実施するための形態】
【００１０】
本発明の第１の実施形態について、図を参照して説明する。
【００１１】
図１は本発明の第１の実施形態である冷却装置の概略図である。
【００１２】
第１の実施形態の冷却装置は、冷媒の循環経路である配管１００（１００ａ、１００ｂ）と、冷媒駆動部２００と、配管を結合する継手３００（３００ａ、３００ｂ、３００ｃ１〜ｃ５）と、配管内の冷媒の圧力を測定する圧力センサ（圧力計）４００（４００ａ、４００ｂ）と、前記圧力計（以下、圧力センサ）によって計測される圧力値および該圧力値の差の少なくとも一方を表示する表示部５００と、信号線６００と、を備える。
【００１３】
配管１００ａは一方の端部に冷媒導入部とする継手３００ａを備え、他方は枝分かれし、端部に継手３００ｃ１〜３００ｃ５を備えている。また、配管１００ｂは一方の端部に冷媒排出部とする継手３００ｂを備え、他方は枝分かれし、端部に継手３００ｃ１〜３００ｃ５を備えている。配管１００ａ、１００ｂは、継手３００ａ、３００ｂにおいて、循環制御部２００と結合され、継手３００ｃ１〜３００ｃ５において、配管１００ａと配管１００ｂとが結合されている。また、配管１００ａ、１００ｂは、外部の熱を、管壁を介して、内部の冷媒に伝熱する特性と、かつ冷媒の圧力を測定するため、管の内部からの圧力で変形し難い特性と、が必要であるため、銅など、一般的に伝熱性のよい金属製の配管であることが望ましい。
【００１４】
冷媒駆動部２００は、詳細を図示しないが、配管内に冷媒を循環させるポンプを備え、さらに冷媒を一定量保管する冷媒保管部と、冷媒の熱を管壁を介して、外気に放出する排熱部を備えることができる。
【００１５】
圧力センサ４００ａ、４００ｂは配管内の圧力を測定し、測定した圧力値を信号線６００を介し、表示部５００に送信する。圧力センサ４００ａ、４００ｂは、冷媒の循環状態が正常である場合に、設定された所定の値を示す。
【００１６】
表示部５００は受信した圧力センサ４００ａ、４００ｂの圧力値を表示し、また、その差を算出し、圧力値の差を表示することができる。下記に記載するように、正常圧力値から変化している表示圧力値および圧力値の差に基づいて、オペレーターはどの継手が外れたかを判断することができる。また、表示部５００は、圧力値および圧力値の差に応じて外れた継手を特定する情報を表示することができる。さらに、表示部５００は、圧力値および圧力値の差が予め設定された所定の値の範囲を逸脱した場合に警報を発することができる。
【００１７】
ここで、冷媒による電子装置の排熱について、説明する。
【００１８】
循環駆動部２００が送り出した冷媒は、配管１００ａに送り出され、途中で枝分かれし、再び配管１００ｂで合流し、循環駆動部２００に戻る。
【００１９】
枝分かれした配管が、電子装置の発熱部および発熱部近傍に設置され、当該発熱部の熱を配管の管壁を介して、冷媒に伝熱させ、冷媒を前述のように循環させることで、当該発熱部の熱を外気に逃がす。ここで、継手３００ｃ１〜３００ｃ５は、伝熱効率を考慮すると、当該発熱部の領域外に設置された方が望ましいが、当該発熱部に設置されてもよい。
【００２０】
図２は、継手３００ａが外れた状態を示す。
【００２１】
継手３００ａが外れると、この継手から先の配管１００ａに冷媒が流れることはない。このため、冷媒導入部側の圧力センサ４００ａと、冷媒排出部側の圧力センサ４００ｂの圧力値は正常の圧力値から共に低下し、その差はほぼ０（ゼロ）となる。
【００２２】
図３は、継手３００ｂが外れた状態を示す。
【００２３】
継手３００ｂが外れると、この継手から先に冷媒が流れることはなく、冷媒は冷媒駆動部２００には戻らない。このため、冷媒導入部側の圧力センサ４００ａと、冷媒排出部側の４００ｂの圧力値は共に上昇し、その差はほぼ０（ゼロ）となる。
【００２４】
図４は、継手３００ｃ５が外れた状態を示す。
【００２５】
継手３００ｃ５が外れると、この継手から先の配管１００ｂの枝分かれした配管部に冷媒が流れることはない。このため、冷媒の循環経路が狭くなり、冷媒導入部側の圧力センサ４００ａの圧力値は上昇する。逆に、冷媒の循環経路が狭くなったことで、流れる冷媒の量が減少するため、冷媒排出部側の圧力センサ４００ｂの圧力値は低下する。この結果、圧力センサ４００ａと、４００ｂの圧力値の差は大きくなる。
【００２６】
図２〜図４において説明したように、圧力センサ４００ａおよび４００ｂの両方の圧力値が所定の値より低下していれば、継手３００ａが外れていることが分かり、逆に両方の圧力値が所定の値より上昇していれば、継手３００ｂが外れていることが分かる。また、圧力センサ４００ａの圧力値が上昇し、圧力センサ４００ｂの圧力値が低下しているか、もしくは圧力センサ４００ａおよび４００ｂの圧力値の差が大きければ、継手４００ｃ１〜４００ｃ５のいずれかの継手が外れていることが分かる。
【００２７】
したがって、オペレーターは、表示部に表示される圧力センサの圧力値およびその圧力値の差を正常値と比較することで外れた継手を特定することができる。また、表示部は、２つの圧力値および圧力値の差に基づき外れた継手を特定する情報を表示する機能を有することができる。さらに、表示部５００は、圧力値および圧力値の差が予め設定された所定の値の範囲を逸脱した場合に警報を発することができる。
【００２８】
以上のように、本発明では簡易な構成によって、冷媒が循環する配管において外れた継手を特定することができる。
【符号の説明】
【００２９】
１００ａ、１００ｂ    配管
２００    冷媒駆動部
３００ａ、３００ｂ、３００ｃ１〜ｃ５    継手
４００ａ、４００ｂ    圧力センサ
５００    表示部
６００    信号線
【要約】
【課題】簡易な構成によって、外れた継手を特定することができる冷却装置を提供することである。
【解決手段】冷媒が循環する配管と、冷媒を循環させる冷媒駆動部と、を備える冷却装置であって、配管はそれぞれ１本の管からなる冷媒導入部と冷媒排出部を備え、冷媒導入部と冷媒排出部の間には複数の枝分かれ部が形成されており、冷媒導入部、冷媒排出部、および各枝分かれ部において配管は継手によって結合されており、冷媒導入部の継手と枝分かれ部の間、および冷媒排出部の継手と枝分かれ部の間にはそれぞれ配管内の冷媒の圧力を計測する圧力計が配置され、２つの圧力計によって計測される圧力値および該圧力値の差の少なくとも一方を表示する表示部を備えることを特徴とする。
【選択図】      図１【図１】
0005438201.tif 000002
【図２】
0005438201.tif 000003
【図３】
0005438201.tif 000004
【図４】
0005438201.tif 000005